(57)【特許請求の範囲】
【請求項１】
左右の側板の対向面同士を連結体により連結し、両側板の対向面間に上下複数段の棚板を架設してなる書棚において、前記左右の側板の上部を、最上段の棚板よりも上方に延出させ、かつ前記連結体を、最上段の棚板の下方においてほぼ垂直をなす左右１対の縦杆と、両縦杆の上下の端部に固着された上下１対の横杆とを備える正面視方形枠状をなすものとし、前記両縦杆を、左右の側板の内側面に固定するとともに、最上段の棚板の下面を、連結体における上部の横杆の上面に当接させたことを特徴とする書棚。
【請求項２】
連結体の左右の縦杆を、左右の側板の前後方向の中央部内側面に固着してなる請求項１記載の書棚。
【請求項３】
最上段の棚板の前後方向の中央部下面を、上部の横杆の上面に当接させて固定してなる請求項１または２記載の書棚。
【請求項４】
最上段の棚板における両側端の少なくとも前後の端部を、左右の側板の内側面に固着してなる請求項１〜３のいずれかに記載の書棚。
【請求項５】
左右の側板における下端部の対向面同士を、前後１対の横連結杆により連結してなる請求項１〜４のいずれかに記載の書棚。
【発明の詳細な説明】
【技術分野】
【０００１】
本発明は、例えば図書館等の蔵書エリアに設置され、書籍類を陳列するのに使用される書棚に関する。
【背景技術】
【０００２】
図書館等で使用される書棚においては、多数の書籍が陳列されるため、十分な耐荷重強度と剛性が要求される。
そのため、従来の書棚は、床面に立設された左右１対の側板の上下両端部の対向面同士を、強度メンバーの一部をなす天板や底板または横連結杆により連結するとともに、それら各部材により囲まれた後端部の枠状空間に後面板(背板)を嵌め込むことにより、前面のみが開口する箱形に形成し、左右の側板の対向面により、上下複数段の棚板を支持する構成となっているのが一般的である(例えば特許文献１〜３参照)。
【特許文献１】特開平８−７０９４０号公報(図１)
【特許文献２】特開２００２−６５３７１号公報(図１、図１２)
【特許文献３】特開２００６−１３０１７８号公報(図１)
【発明の開示】
【発明が解決しようとする課題】
【０００３】
上記特許文献１〜３に記載されている書棚のように、前面が開口する箱形に形成されていると、高さの高い書棚においては、最上端部の天板や横連結杆が、天井からの照明光を遮るだけでなく、書棚上部に開放感がないので、利用者に圧迫感を与えてしまう。
【０００４】
また、前面が開口する箱形の書棚とすると、その高さが高くなるほど、左右の側板が撓み易くなり、書棚の剛性が小さくなる恐れがある。
【０００５】
本発明は、上記問題点に鑑みてなされたもので、剛性の高い構造でありながら、天井及び後方からの照明光が良好に射し込むようにし、かつ上端部及び後方を開放することにより、見通しをよくし、圧迫感を解消しうるようにした書棚を提供することを目的としている。
【課題を解決するための手段】
【０００６】
本発明によると、上記課題は、次のようにして解決される。
（１)左右の側板の対向面同士を連結体により連結し、両側板の対向面間に上下複数段の棚板を架設してなる書棚において、前記左右の側板の上部を、最上段の棚板よりも上方に延出させ、かつ前記連結体を、最上段の棚板の下方においてほぼ垂直をなす左右１対の縦杆と、両縦杆の上下の端部に固着された上下１対の横杆とを備える正面視方形枠状をなすものとし、前記両縦杆を、左右の側板の内側面に固定するとともに、最上段の棚板の下面を、連結体における上部の横杆の上面に当接させる。
【０００７】
（２）上記(１)項において、連結体の左右の縦杆を、左右の側板の前後方向の中央部内側面に固着する。
【０００８】
（３）上記(１)または(２)項において、最上段の棚板の前後方向の中央部下面を、上部の横杆の上面に当接させて固定する。
【０００９】
（４）上記(１)〜(３)項のいずれかにおいて、最上段の棚板における両側端の少なくとも前後の端部を、左右の側板の内側面に固着する。
【００１０】
（５）上記(１)〜(４)項のいずれかにおいて、左右の側板における下端部の対向面同士を、前後１対の横連結杆により連結する。
【発明の効果】
【００１１】
請求項１記載の発明によれば、左右の側板の上部を、最上段の棚板よりも上方に延出させるとともに、連結体を、最上段の棚板の下方に配置しているので、書棚の上部が、上方と前後両方向に開放され、かつ天井からの照明光を遮ることもないので、書棚利用者に圧迫感を与えることがない。
また、最上段の棚板の上方が大きく開放されているので、その上面に、大型の書籍等、非定型物を載置することができる。
さらに、左右の側板の内側面には、方形枠状をなす連結体の左右の縦杆が固定されているので、両側板が撓む恐れはなく、剛性の高い書棚を提供しうる。
最上段の棚板を、連結体の上部の横杆に当接させてあるので、最上段の棚板に加わる荷重は連結体により受支される。従って、最上段の棚板上に多くの書籍等を載置しても、これが下向きに撓む恐れはない。
連結体を正面視方形枠状としてあるので、書棚を前後に遮るものがなく、この書棚を、前後両方向から使用することができるだけでなく、書棚を前後方向に見通すことができ、かつ照明光が各段の棚板上に投射し易くなるので、書棚を通路を挟んで前後に設置したとしても、圧迫感はない。
【００１２】
請求項２記載の発明によれば、左右の側板における連結体を挟む前後の対向面に、同じ前後寸法の棚板を架設して、両棚板を、書棚の前後両方向から使用しうるとともに、前後の棚板の上下位置を、書籍の大きさ等に応じて別々に変えることができる。
【００１３】
請求項３記載の発明によれば、最上段の棚板が、バランスよく連結体の上端により支持固定され、かつ取付強度も大となるので、より多くの書籍等を載置することができる。
【００１４】
請求項４記載の発明によれば、最上段の棚板が、左右の側板の上端部同士を連結する連結部材を兼ねるので、書棚の剛性が高まる。
【００１５】
請求項５記載の発明によれば、左右の側板における下端部の対向面同士が前後１対の横連結杆により連結されているので、書棚の剛性がさらに高まる。
【発明を実施するための最良の形態】
【００１６】
以下、本発明の実施形態を、図面に基づいて説明する。
図１は、図書館等に設置される本発明の書棚の斜視図、図２は正面図、図３は分解斜視図、図４は、中央縦断拡大側面図である。
【００１７】
書棚１は、床面に立設された左右１対の側板２、２と、それらの対向面の前後方向(以下、図１の右手前を前として説明する)の中央部に固定された連結体３と、最上段の棚板を兼ねる上面板４と、両側板２における連結体３を挟む前後の対向面により支持された、同じ大きさの上下複数段の棚板５とを備えている。
【００１８】
左右の側板２、２は、外周縁が外内向きに折り曲げられた、上下寸法が連結体３の上下寸法よりも大きい縦長長方形の鋼板よりなり、その外側面の前後両端部と中央部には、上下方向を向く３個の補強部材６が、また外側面の下端部には、前後方向を向く補強部材７が、それぞれスポット溶接され、側板２全体の曲げ剛性を高めている。
【００１９】
左右の側板２、２における下端部の対向面には、左右方向を向く前後１対の横連結杆８、８の両側端が、それぞれ、側板２の外側面より挿入した２本ずつのねじ９、９により固着されている。
両側板２の外側面には、それと同じ大きさの化粧側板１０が、側板２の内側面より挿入した複数のねじ１１により螺着されている。
【００２０】
両側板２の下端部の内側面には、レベル調整用アジャスタ１２が取付けられた正面視内向きＬ字状の前後１対のアジャスタ取付金具１３、１３が、側板２の外側面より挿入したねじ１４により固着されている。
【００２１】
連結体３は、角筒状鋼管よりなる左右１対の縦杆３a、３aと、それらの上下両端と下方寄りの中間部の対向面に固着された、角筒状鋼管よりなる３個の横杆３bとにより、左右寸法が、左右の側板２の対向面間の離間寸法とほぼ等しい方形枠状に形成され、両縦杆３aの内側方より挿入した上下複数のねじ１５により、左右の側板２の前後方向の中央部内側面に、側板２の下面と同一面に整合するようにして固着されている。
【００２２】
上面板４は、外周縁が下内向きに折り曲げられた、前後寸法が側板２のそれと等しく、かつ左右寸法が両側板２の対向面間の寸法とほぼ同等をなす長方形の鋼板よりなり、下面の前後両端部と中央部とには、左右方向を向く補強部材１６、１７がスポット溶接されている。
【００２３】
上面板４は、正面視倒立Ｌ字状をなす４個の固定金具１８により、左右の側板２の内側面に、次のようにして取付けられている。
図４及び図５の一部の拡大図にも示すように、両側板２における連結体３の上端よりやや上方に位置する内側面には、互いに側面視ハ字状をなすように、斜め上下方向に傾斜する前後１対ずつの長孔１９、１９が穿設され、これらの長孔１９に、各固定金具１８の垂直片１８aを内方より挿入し、前後の補強部材６の対向面に止めねじ２０により固着することにより、各固定金具１８は、その水平片１８bを側板２の内方に突出させた状態で、側板２に取付けられている。
【００２４】
各固定金具１８の水平片１８bに、上面板４の前後の補強部材１６、１６における対向片１６a、１６aの左右両端部の対向面を当接させ、対向片１６aの裏面の溶接ナット２１に、止めねじ２０を螺合させて固着することにより、上面板４は、その中央部の補強部材１７の下面が、連結体３の上面と当接するようにして、両側板２の内側面に取付けられている。これにより、左右の側板２の上部が、上面板４よりも上方に延出するようにしてある。
【００２５】
水平片１８bへの対向片１６aのねじ止め作業を、上面板４の斜め下方より容易に行いうるように、前後の対向片１６aと固定金具１８の上半部を、前後方向内向き、すなわち側面視ハ字状をなすように傾斜させてある(図５参照)。
なお、上面板４における中央部の補強部材１７と、連結体３の上端の横杆３bとを、この横杆３bの下方より挿入したねじにより固定してもよく、このようにすると、両側板２の上部の連結強度が大となるので、書棚１全体の剛性が高まる。
【００２６】
各棚板５は、鋼板の外周縁を下内向きに折り曲げたものよりなり、左右の下向側片５aの前後端部には、図４に示すように、下方に開口する下向きＵ字状の係止溝２２、２２と、側面視倒立Ｌ字状の係止溝２３、２３とが形成されている。
２４は、各棚板５の後面に固着された書籍のストッパ片である。
【００２７】
左右の側板２における連結体３を挟む前後の内側面には、前後２列ずつの支持孔２５、２５が多数列設され、これら前後の支持孔２５、２５のいずれかに選択的に嵌合した支持ピン２６、２６に、上記両下向側片５aにおける内側の前後の係止溝２２、２３を係止することにより、各棚板５は、両側板２の対向面により、上下位置変更可能として支持されている。
なお、図４の２点鎖線で示すように、棚板５を前後反対向きとし、下向側片５aにおける外側の前後の係止溝２２、２３を、上下に嵌合位置を異ならせた支持ピン２６、２６に係止することにより、棚板５を傾斜させた状態で支持することもできる。
【００２８】
以上説明したように、上記実施形態の書棚１においては、左右の側板２、２の上部を上面板４よりも上方に延出させるとともに、連結体３を、上面板４の下方に配設してあるので、書棚１の上部が、上方と前後両方向に開放され、かつ天井からの照明光を遮ることもなく、書棚利用者に圧迫感を与えることがない。
しかも、連結体３は、正面視方形枠状をなし、書棚１を前後方向に見通せるだけでなく、照明光が各段の棚板５上に射し込むので、書棚を通路を挟んで前後に設置したとしても、圧迫感はない。
【００２９】
連結体３は、両側板２の中央部の内側面に固定され、前後に遮るものがないので、書棚１を前後両面から使用することができ、使い勝手が向上する。
また、上面板４の上方が大きく開放されているので、その上面に、大型の書籍等、非定型物を載置することができる。この際、上面板４の下面の補強部材１７は、連結体３の上面に当接しており、上面板４に加わる荷重が連結体３によっても受けられるので、上面板が下向きに撓む恐れはない。
【００３０】
さらに、左右の側板の内側面には、方形枠状をなす連結体の左右の縦杆が固定されているので、両側板が撓む恐れはなく、剛性の高い書棚を提供しうる。
【００３１】
左右の側板２の下端部同士は、前後２個の横連結杆８により連結され、かつ両側板２が固着された連結体３は、方形枠状をなし、さらに、両側板２の上部の対向面同士は、上面板４により連結されているので、書棚１の剛性を高めることができる。
【００３２】
なお、上記実施形態では、棚板５を前後に並べて両側板２により支持しているが、上面板４と同じ大きさの棚板を、縦杆３aを跨ぐようにして、両側板２により支持してもよい。
【図面の簡単な説明】
【００３３】
【図１】本発明の書棚の一実施形態を示す斜視図である。
【図２】同じく、拡大正面図である。
【図３】同じく、分解斜視図である。
【図４】同じく、中央縦断拡大側面図である。
【図５】図４のＡ部の拡大図である。
【符号の説明】
【００３４】
１    書棚
２    側板
３    連結体
３a   縦杆
３b   横杆
４    上面板(最上段の棚板)
５    棚板
５a   下向側片
６、７補強部材
８    横連結杆
９    ねじ
１０  化粧側板
１１  ねじ
１２  アジャスタ
１３  アジャスタ取付金具
１４  ねじ
１５  ねじ
１６  補強部材
１６a 対向片
１７  補強部材
１８  固定金具
１８a 垂直片
１８b 水平片
１９  長孔
２０  止めねじ
２１  溶接ナット
２２  係止溝
２３  係止溝
２４  ストッパ片
２５  支持孔
２６  支持ピン
【図１】
0005143530.tif 000002
【図２】
0005143530.tif 000003
【図３】
0005143530.tif 000004
【図４】
0005143530.tif 000005
【図５】
0005143530.tif 000006